(57)【要約】      （修正有）【課題】簡易にハウリングを抑制することが可能なスピーカー用筺体を提供する。【解決手段】内部に、略直方体状の複数の音道板による音通路が形成された、スピーカー用筺体１であって、前記複数の音道板の内、少なくとも一の音道板の隅部に面取り加工が施されていることを特徴とする。【選択図】図１
0003213453.tif 000002
【実用新案登録請求の範囲】
【請求項１】
内部に略直方体状の複数の音道板による音通路が形成された、スピーカー用筺体であって、
前記複数の音道板の内、少なくとも一の音道板の隅部に面取り加工が施されていることを特徴とする、スピーカー用筺体。
【請求項２】
前記一の音道板の、少なくとも一箇所の隅部に面取り加工が施されていることを特徴とする、請求項１に記載のスピーカー用筺体。
【請求項３】
前記一の音道板の、全ての隅部に面取り加工が施されていることを特徴とする、請求項１又は２に記載のスピーカー用筺体。
【請求項４】
前記複数の音道板の、少なくとも一箇所の隅部に面取り加工が施されていることを特徴とする、請求項１に記載のスピーカー用筺体。
【請求項５】
前記複数の音道板の、全ての隅部に面取り加工が施されていることを特徴とする、請求項１〜３の何れかに記載のスピーカー用筺体。
【請求項６】
前記隅部に施されている面取り加工の面取り長さが１ｍｍ〜５ｍｍの間に設計されていることを特徴とする、請求項１〜４の何れかに記載のスピーカー用筺体。
【考案の詳細な説明】
【技術分野】
【０００１】
本考案は、スピーカー用筺体に係り、特に、バックロードホーン型のスピーカー用筺体に関わる。
【背景技術】
【０００２】
従来から、簡易に自作が可能であり、低音域の再生を効率よく行うことができるスピーカー装置として、バックロードホーン型のスピーカー装置が用いられてきた。
【０００３】
バックロードホーン型のスピーカー装置は、その筺体の内部が、複数の直方体状の音道板又は振動板と呼ばれる板により、何度も折り返すようにして区切られ、スピーカーユニットの後面から発生する音の通り道（音通路）が作られている。この音通路は、漸次断面積が広がっていくように設計されており、スピーカーユニットの後面から発生する音が、この音通路を通り、外部へ出力される。
【０００４】
このようなバックロードホーン型のスピーカー装置として、特許文献１には、音道板として、３００Ｈｚよりも高い周波数の音波では振動しないような厚さのある板を用い、かつこの音道板にアクチュエーターを取り付けたバックロードホーン型のスピーカー装置が記載されている。
このような構成により、小型の筺体であっても、音道板の振動状態をアクチュエーターで制御することで、スピーカーユニットから出力される低音域を増強させることが可能となる。
【先行技術文献】
【特許文献】
【０００５】
【特許文献１】特許第６０５２７１８号
【考案の概要】
【考案が解決しようとする課題】
【０００６】
しかしながら、特許文献１のようなバックロードホーン型のスピーカー装置において、音波が内部の音通路を通過する際に、音波の持つ特定の周波数が、音通路を形成する音道板の持つ固有振動数と一致することで共振を起こし、ハウリングが発生してしまう恐れがある。
【０００７】
また、通常、音通路は、直方体状（６面体）の複数の音道板を、接着剤により、垂直又は水平方向に接合することで形成されるが、このような音通路において、平行に向かい合う面の面積が大きい程、上記した共振が顕著に発生する。
【０００８】
また、接着剤の乾燥により、音道板の位置が微妙に変化することで、音道部の固有振動数も複雑に変化する。そして、一度スピーカー装置を組み上げると、内部の加工ができなくなるため、ハウリングの制御、抑制が困難となる。
【０００９】
本考案は上記のような実状に鑑みてなされたものであり、簡易にハウリングを抑制することが可能なスピーカー用筺体を提供することを課題とする。
【課題を解決するための手段】
【００１０】
上記課題を解決するために、本考案は、
内部に、略直方体状の複数の音道板による音通路が形成された、スピーカー用筺体であって、
前記複数の音道板の内、少なくとも一の音道板の隅部に面取り加工が施されていることを特徴とする。
【００１１】
本考案によれば、一の音道板の形状が７面体以上となり、音通路の平行に向かい合う面の面積が減少する。これにより、音波と一の音道板とが共振しにくくなり、スピーカー用筺体内部のハウリングを抑制することが可能となる。
【００１２】
本考案の好ましい形態では、前記一の音道板の、少なくとも一箇所の隅部に面取り加工が施されていることを特徴とする。
【００１３】
このような構成とすることで、最低でも一箇所の隅部のみの加工という簡易な作業により、音波と一の音道板とが共振しにくくなり、スピーカー用筺体内部のハウリングを抑制することが可能となる。
【００１４】
本考案の好ましい形態では、前記一の音道板の、全ての隅部に面取り加工が施されていることを特徴とする。
【００１５】
このような構成とすることで、一の音道板の形状が１４面体となり、音通路の平行に向かい合う面の面積がさらに減少する。これにより、スピーカー用筺体内部のハウリングを、さらに抑制することが可能となる。
【００１６】
本考案の好ましい形態では、前記複数の音道板の、少なくとも一箇所の隅部に面取り加工が施されていることを特徴とする。
【００１７】
このような構成とすることで、複数の音道板の形状が７面体以上となり、音通路の平行に向かい合う面の面積が減少する。これにより、音波と音通路全体とが共振しにくくなり、スピーカー用筺体内部のハウリングの発生を抑制することが可能となる。
【００１８】
本考案の好ましい形態では、前記複数の音道板の、全ての隅部に面取り加工が施されていることを特徴とする。
【００１９】
このような構成とすることで、複数の音道板の形状が１４面体となり、音通路の平行に向かい合う面の面積がさらに減少する。これにより、スピーカー用筺体内部のハウリングの発生をさらに抑制することが可能となる。
【００２０】
本考案の好ましい形態では、前記隅部に施されている面取り加工の面取り長さが、１ｍｍ〜５ｍｍの間に設計されていることを特徴とする。
【００２１】
このような構成とすることで、スピーカーユニットからの再生音が大きな音量であっても、ハウリングを起こさず、鮮明な音質での再生を可能とする、最適な形状の音道板を形成することが可能となる。
【考案の効果】
【００２２】
本考案によれば、簡易にハウリングを抑制することが可能なスピーカー用筺体を提供することができる。
【図面の簡単な説明】
【００２３】
【図１】本考案の実施形態に係るスピーカー用筺体の概略斜視図である。
【図２】本考案の実施形態に係るスピーカー用筺体に用いられる音道板を示す図であって、（ａ）斜視図、（ｂ）平面図である。
【図３】本考案の実施形態に係るスピーカー用筺体のＡ−Ａ線断面図である。
【考案を実施するための形態】
【００２４】
以下、図面を用いて、本考案の実施形態に係るスピーカー用筺体について説明する。なお、以下に示す実施形態は本考案の一例であり、本考案を以下の実施形態に限定するものではない。
【００２５】
図１に示す様に、本発明の実施形態に係るスピーカー用筺体１は、前面板１１と、上面板１２と、底面板１３と、背面板１４と、左右の側面板１５及び１６と、により全体が略直方体状の箱型に概略構成されている。
スピーカー用筺体１は、木から切り出した板材や合板、木材チップなどの木質繊維を樹脂で成形した木質ボード等により形成される。また、スピーカー用の筺体として適用可能な強度を有する素材であれば、木質材料以外の素材を用いても良い。
【００２６】
また、前面板１１の上部には、スピーカーユニットが取り付けられる、スピーカーユニット取付孔１１１が形成され、下部には、後述する音通路Ｐの出口１１２が形成されている。
【００２７】
図２に示す様に、音通路Ｐの形成に用いられる音道板Ｂは、略直方体状であり、８箇所全ての隅部ｃに面取り加工が施されている。
【００２８】
図２（ａ）に示す様に、音道板Ｂは、厚さｔ約１０ｍｍ、幅ｗ約８０ｍｍの板で形成され、スピーカー用筺体１と同様に、木から切り出した板材や合板、木材チップなどの木質繊維を樹脂で成形した木質ボード等により形成しても良いし、木材以外の素材で形成しても良い。また、高さｈは、所望の音通路Ｐの設計のために、任意に変更させて用いられる。厚さｔや、幅ｗについても、上記した数値に限定されず、スピーカー用筺体１の大きさに合わせて任意に変更可能である。
【００２９】
図２（ｂ）に示す様に、音道板Ｂの全ての隅部ｃには面取り角度４５度、面取り長さｄ約３ｍｍの面取り加工が施されている。
全ての隅部ｃの面取り角度や面取り長さは、必ずしも同一にする必要はなく、各隅部ｃについて、異なる面取り角度や面取り長さで面取り加工を施しても良い。
【００３０】
図３に示す様に、スピーカー用筺体１の内部には、複数の音道板Ｂにより、スピーカーユニットの後面から出力された音波が伝わる音通路Ｐが形成されている。また、背面板１４の上部には、スピーカーユニットを電気的に接続するケーブルを通すための、ケーブル挿通孔が形成されている。
【００３１】
音通路Ｐは、出口１１２に向かうに伴って、漸次断面積が拡大していくように構成されている。
【００３２】
音道板Ｂは、各々が垂直又は水平に、接着剤等の接合手段を用いて接合されているのみである。即ち、本実施形態に係るスピーカー用筺体１においては、平行に向かい合う面が出来るだけ形成されないような、複雑な音通路Ｐを設計する必要が無く、製造性が向上する。
【００３３】
また、スピーカー用筺体１の内部の音響特性は、音道板Ｂの連結個数に左右されない。このため、音通路Ｐの形状や全長は、図３に示したものに限定されず、連結個数により自在に変化させることができる。
【００３４】
本実施形態によれば、スピーカー用筺体１の内部において、音通路Ｐを形成する複数の音道板Bの内、少なくとも一の音道板Ｂの隅部ｃに面取り加工が施されていることで、一の音道板Bの形状が７面体以上となり、音通路Ｐの平行に向かい合う面の面積が減少する。これにより、音波と一の音道板Ｂとが共振しにくくなり、スピーカー用筺体１内部のハウリングを抑制することが可能となる。
【００３５】
また、一の音道板Ｂの、全ての隅部ｃに面取り加工が施されていることで、一の音道板Ｂの形状が１４面体となり、音通路Ｐの平行に向かい合う面の面積がさらに減少する。これにより、スピーカー用筺体１内部のハウリングを、さらに抑制することが可能となる。
【００３６】
また、複数の音道板Ｂの、全ての隅部ｃに面取り加工が施されていることで、複数の音道板Ｂの形状が１４面体となり、音通路Ｐの平行に向かい合う面の面積がさらに減少する。これにより、音波と音通路Ｐ全体とが共振しにくくなり、スピーカー用筺体１内部のハウリングを、さらに抑制することが可能となる。
【００３７】
また、隅部ｃに施されている面取り加工の面取り長さを、１ｍｍ〜５ｍｍの間に設計することで、スピーカーユニットからの再生音が大きな音量であっても、スピーカー用筺体１内部でハウリングを起こさず、鮮明な音質での再生を可能とする、最適な形状の音道板Ｂを形成することが可能となる。
【００３８】
なお、前記実施形態において示した各構成部材の諸形状や寸法等は一例であって、設計要求等に基づき種々変更可能である。
【符号の説明】
【００３９】
１          スピーカー用筺体
１１        前面板
１１１      スピーカーユニット取付孔
１１２      出口
１２        上面板
１３        底面板
１４        背面板
１４１      ケーブル挿通孔
１５、１６  側面板
Ｐ          音通路
Ｂ          音道板
ｃ          隅部
【図１】
0003213453.tif 000003
【図２】
0003213453.tif 000004
【図３】
0003213453.tif 000005